【手続補正書】
【提出日】平成22年9月2日(2010.9.2)
【手続補正１】
【補正対象書類名】明細書
【補正対象項目名】００６１
【補正方法】変更
【補正の内容】
【００６１】
本実施形態における二次元コードは、図２に示すように、黒色の背景領域２１０上に複数のセルＣ１１〜Ｃｐｑ（２≦ｐ，２≦ｑ）が一定間隔で配列され、所定の情報が各セルの色および色の組み合わせによりコード化されたものである。つまり、この二次元コードは、セルそれぞれ，または，組み合わせに係るセル群それぞれが、そこに付された複数の色（多色），または，色の組み合わせパターンにより、数字や文字など複数種類の値（多値）を表現可能となっている。
【手続補正２】
【補正対象書類名】明細書
【補正対象項目名】００６２
【補正方法】変更
【補正の内容】
【００６２】
ここで、この二次元コードを構成する１行目（図２における最上部の行）のセルＣ１１〜Ｃ１ｑは、二次元コードの各セルＣに付けられうるマークの色により、順番にマークが付けられた（セルＣが塗りつぶされた）ヘッダー領域となっている。
【手続補正３】
【補正対象書類名】明細書
【補正対象項目名】００６３
【補正方法】変更
【補正の内容】
【００６３】
本実施形態においては、セルＣに付けられうるマークの色として、黒（ｋ）を除く１色以上の色が、黒（ｋ）でマークが付けられたセルＣとセットで配列されている。
また、各行のセルＣのうち、先頭（図２における左端の列））に位置するセルＣ１１〜Ｃｐ１は、二次元コードの位置を特定するための特定セルとして配置されたものである。そして、この特定セルに付けられた色（本実施形態では、黒（ｋ））と背景領域２１０とにより、二次元コードの領域を示す特徴的なパターンが形成されている。なお、この特徴的なパターンとしては、別の構成により実現するものとしてもよい。
【手続補正４】
【補正対象書類名】明細書
【補正対象項目名】００７２
【補正方法】変更
【補正の内容】
【００７２】
本実施形態において、成分画像とは、第１〜第ｍ番目（ｍ＜ｎ）の成分画像までが、それぞれ異なるしきい値で原画像を二値化した画像であり、第ｍ＋１〜第ｎ番目の成分画像までが、ｎ−ｍ種類の色成分それぞれのみで原画像を二値化してなる画像である。ここでいう「ｎ」は、変数ｎにセットされた値であり、本実施形態では、ユーザが要求する二次元コードの検出精度に応じた値（本実施形態では最大値６）を任意にセット可能に構成されている。
【手続補正５】
【補正対象書類名】明細書
【補正対象項目名】００９８
【補正方法】変更
【補正の内容】
【００９８】
こうして、上記ｓ１７０〜ｓ２６２は、二次元コードとして検出，識別された候補領域の数が所定数以上とならない限り、リストに登録された全てのコード領域について繰り返し行われ、その後、全ての候補領域についてｓ１７０〜ｓ２６２が行われたら、上記ｓ１７０で未処理の候補領域がないと判定されて（ｓ１７０：ＮＯ）、この時点での変数Ｙの値が、変数ｎにセットされている値ｎより大きい値（ｎ＜Ｙ）となっているか否かがチェックされる（ｓ２７０）。
【手続補正６】
【補正対象書類名】明細書
【補正対象項目名】００９９
【補正方法】変更
【補正の内容】
【００９９】
このｓ２７０で変数Ｙの値が値ｎより大きい値となっていないと判定された場合には（ｓ２６０：ＮＯ）、この時点で変数Ｘが所定数以上になっている，つまり所定数以上の候補領域が二次元コードの体をなしていたか否かがチェックされる（ｓ２８０）。
【手続補正７】
【補正対象書類名】明細書
【補正対象項目名】０１０２
【補正方法】変更
【補正の内容】
【０１０２】
そして、全ての成分画像に基づいて上記ｓ１４０〜ｓ２９０が行われた後は、変数Ｙの値が値ｎより大きくなるため、上記ｓ１７０で変数Ｙの値が値ｎより大きい値になっていると判定され（ｓ２７０：ＹＥＳ）、この場合も、本情報識別処理が終了する。
【手続補正８】
【補正対象書類名】明細書
【補正対象項目名】０１２６
【補正方法】変更
【補正の内容】
【０１２６】
また、上記実施形態では、原画像から、二次元コードからなる候補領域を抽出したうえで（図３のｓ１５０）、この候補領域から二次元コードを検出して情報の識別を行っている（同図ｓ１７０〜ｓ２４０）。そのため、候補領域を抽出することなく二次元コードを検出しようとする場合と比べて、抽出した候補領域という限定的な範囲から二次元コードの検出を行うことができることから、二次元コードから情報の識別を行うまでに要する処理負荷および処理時間を抑えることができる。
【手続補正９】
【補正対象書類名】明細書
【補正対象項目名】０１２９
【補正方法】変更
【補正の内容】
【０１２９】
また、上記実施形態においては、特定の成分画像から抽出された候補領域，および，別の成分画像における抽出済み候補領域のうち、一方の候補領域が他方の候補領域に包摂されていることをもって、両候補領域が一致すると判定することができる。
【手続補正１０】
【補正対象書類名】明細書
【補正対象項目名】０１３２
【補正方法】変更
【補正の内容】
【０１３２】
また、上記実施形態では、二次元コードの領域を識別対象領域として検出し、この二次元コードでコード化された情報を識別することができるようになる。
また、上記実施形態においては、二次元コードの各セルＣに付された色に基づいて、二次元コードで示される情報を識別することができる（図３のｓ２３２〜ｓ２４０）。
【手続補正１１】
【補正対象書類名】明細書
【補正対象項目名】０１３４
【補正方法】変更
【補正の内容】
【０１３４】
また、上記実施形態では、二次元コードにおける各セルＣに付されている色を、色空間におけるいずれの判定領域に含まれているかにより判定することができる（図５のｓ３２０）。
【手続補正１２】
【補正対象書類名】明細書
【補正対象項目名】０１３６
【補正方法】変更
【補正の内容】
【０１３６】
具体的には、複数の色それぞれに対応する判定領域のいずれにも含まれていないと判定したセルが一定数以上存在する場合に（図５のｓ３４０「ＹＥＳ」）、判定領域を一定領域だけ拡げる、または、変移させたうえで、再度、各セルに付されている色を判定している（同図ｓ３６０〜ｓ３２０）。
【手続補正１３】
【補正対象書類名】明細書
【補正対象項目名】０１４１
【補正方法】変更
【補正の内容】
【０１４１】
また、候補として選出した色それぞれについて情報の識別までも行うようにし、そうして識別した情報の中からいずれかをユーザに選択させることとしてもよい。この場合、図５のｓ４００では何らの処理も行わず、ｓ４１０にて候補の色それぞれを、該当するセルＣに付された色と判定する。そして、図３のｓ２４０では、セルＣに付された色として判定された色が複数存在していれば、各色について、または、各色の組合せに基づいて情報を識別し、そうして識別した情報の中から、いずれかをユーザに選択させる、といった構成を考えることができる。
（５）本発明との対応関係
以上説明した実施形態において、図３のｓ１３０が本発明における画像取得手段であり、同図ｓ１４０が本発明における成分変換手段であり、同図ｓ１５０が本発明における領域抽出手段であり、同図ｓ２２０が本発明におけるパターン判定手段であり、同図ｓ２３０が本発明における領域検出手段であり、同図ｓ１４０〜ｓ２９０（特にｓ１４０，ｓ２７０，ｓ２９０）が本発明における繰り返し実施手段であり、同図ｓ２００が本発明における一致判定手段であり、同図ｓ２４０が本発明における情報識別手段である。
【手続補正１４】
【補正対象書類名】明細書
【補正対象項目名】０１４２
【補正方法】変更
【補正の内容】
【０１４２】
また、図５におけるｓ４００が本発明における色推定手段であり、同図ｓ３２０およびｓ４１０が本発明における色判定手段である。
【手続補正１５】
【補正対象書類名】特許請求の範囲
【補正対象項目名】請求項９
【補正方法】変更
【補正の内容】
【請求項９】
前記一致判定手段は、特定の前記成分画像に対して、前記領域抽出手段により抽出された候補領域それぞれが、別の成分画像における前記抽出済み候補領域と一致するか否かを、両方の識別対象領域のうちの一方の候補領域が他方の候補領域に包摂されているか否かに応じて判定する
ことを特徴とする請求項１から８のいずれか一項に記載の画像処理システム。
【手続補正１６】
【補正対象書類名】図面
【補正対象項目名】図３
【補正方法】変更
【補正の内容】
【図３】
2010191956.tif 000001